(57)【特許請求の範囲】
【請求項１】
特に液体の輸送用および貯蔵用容器（１０）のためのパレット状ベースフレーム（２１）であって、
上記容器は、ロックされ得るフィラーネック（１３）と、取り出し継ぎ手を接続するための排出ノズルを含みプラスチックから成る内部容器（１１）、および金属格子または金属プレートから成る外殻（１８）を備え、
上記ベースフレームは、内部容器を支持する床部（２２）、角部脚（２３）、および金属から成り、角部脚の間に配置され、脚フレーム（２５）に取り付けられ、ベースフレームの床部と伴に内部容器の外殻が固定される中央部脚（２４・６０）を有し、
ベースフレームの少なくとも１つの中央部脚は、
Ｕ字形の断面を有し、
ベースウォール（２９）、
外脚部の壁（３０）、および
内脚部の壁（３１）を有するプロファイルボディ（２７）を備え、
ベースウォール、および脚部の壁は、
プロファイルボディの軸端部領域（３７・３８）で、プロファイルボディの縦軸（２８）に直角な平面内でＵ字形に具体化される軸端部ウェブ（３９・４０）を具体化し、
外脚部の壁（３０）は、ベースフレーム（２１）の床部（２２）に面する上部領域において、脚部の壁の下端部と反対側の出窓形の突出部を有し、
上記出窓形の突出部は、軸端部ウェブ（３９・４０）に延びていることを特徴とするベースフレーム。
【請求項２】
請求項１のベースフレームであって、
脚部の壁（３０・３１）は、それぞれにおいて上部支持端を有し、
上記上部支持端は、端部ウェブ（３２・３３）によって形成され、
上記端部ウェブは、脚部の壁においてベースフレーム（２１）の床部（２２）に平行に折り曲げられて設けられ、
上記端部ウェブは、共通支持平面（３４）内に配置されていることを特徴とするベースフレーム。
【請求項３】
請求項１または請求項２のベースフレームであって、
内脚部の壁（３１）は、外脚部の壁（３０）の出窓形の突出部と反対側に位置し、内脚部の壁の上部の端部ウェブ（３３）からベースウォール（２９）に延び、外側に向いている補強シーム（４７・４８）を有することを特徴とするベースフレーム。
【請求項４】
請求項３のベースフレームであって、
内脚部の壁（３１）の上部の端部ウェブ（３３）が、ベースウォール（２９）を越えてベースフレーム（２１）の内部空間に向けて突出し、補強シーム（４７・４８）は上部の端部ウェブに向けて傾くように走ることを特徴とするベースフレーム。
【請求項５】
請求項１から請求項４のうち何れか１項のベースフレームであって、
外脚部の壁（３０）の出窓形の突出部は、２つが具体化され、
それぞれの場合において脚部の壁の軸端部領域（３７・３８）で具体化され、軸端部ウェブ（３９・４０）内に延びる２つの突出部が凹部（４３）によって互いに分離されていることを特徴とするベースフレーム。
【請求項６】
請求項５のベースフレームであって、
内脚部の壁（３１）は、それぞれの場合において、出窓形の突出部と反対側に補強シーム（４７・４８）を有していることを特徴とするベースフレーム。
【請求項７】
請求項１から請求項６のうち何れか１項のベースフレームであって、
互いに反対側に配置される２つの中央部脚（２４）が、１つのプロファイルボディ（２７）を有し、
プロファイルボディの内脚部の壁（３１）の端部ウェブ（３３）は、フロアクロスメンバ（５３）を介して互いに接続されていることを特徴とするベースフレーム。
【請求項８】
請求項７のベースフレームであって、
中央部脚（６０）のプロファイルボディの内脚部の壁（３１）は、互いに１部材に結合するようにフロアクロスメンバ（５７）を具体化することを特徴とするベースフレーム。
【請求項９】
液体の輸送用および貯蔵用容器（１０）であって、
ロックされ得るフィラーネック（１３）と、取り出し継ぎ手を接続するための排出ノズルを含みプラスチックから成る内部容器（１１）、および金属格子または金属プレートから成る外殻（１８）を備え、
上記内部容器、および外殻が、請求項１から請求項８のうち何れか１項のパレット状ベースフレーム（２１）の床部（２２）上に配置されていることを特徴とする貯蔵用容器。
【発明の詳細な説明】
【技術分野】
【０００１】
本発明は、特に、ロックされ得るフィラーネック、および取り出し継ぎ手（removal fitting）に接続するための排出ノズルを含むプラスチック製の内部容器と伴に、金属格子または金属プレートから成る外殻が設けられる液体の輸送用および貯蔵用容器のためのパレット状ベースフレームに関し、上記ベースフレームは、上記内部容器を支持するための床部、金属製の角部脚、および上記角部脚の間に配置される中央部脚を含み、上記中央部脚は、ベースフレームの床部および内部容器の外殻が固定される脚フレームに取り付けられる。
【背景技術】
【０００２】
上記のようなタイプのベースフレームは、一方で、プラスチック製で、したがって適当なフォークリフト装置によって比較的壊れやすい内部容器の貯蔵用および輸送用のために取り扱い可能なプラットフォームを提供するために働く。同時に、そのようなベースフレームは、外殻との組み合わせで、内部容器を損傷から守るために働く。ベースフレームは、それに関して、特に、輸送用および貯蔵用容器の取り扱いにより内部容器に想定される損傷を受けるリスクが存在するという事実のために重要である。パレット状ベースフレームは、このようにして、特に、例えば輸送用および貯蔵用容器が、その輸送用および貯蔵用容器の不適切な取り扱いによって床に打ち付けられたときの内部容器に衝撃を与え得る衝撃負荷を吸収する保護シールドまたはプロテクタを代表する。この目的のために、ベースフレームは、積み込みが生じた後も、対応する作用した負荷に適応し、さらに液体容器のためのハンドリングプラットフォームとして働き得る必要がある。
【０００３】
特に、輸送用および貯蔵用容器が非対称な衝撃でクラッシュし、または落下したとき、そしてベースフレームが最初に角で床を打ち付けたときに、相当な剪断およびねじり力がベースフレームに作用するという事実のために、ベースフレームの角部および中央部脚は、対応する作用した負荷の適応に応じた目的を有している。角部脚は、典型的にベースフレームの角領域に差し亘って延びるという事実によって、角部脚の対応する多軸ボディ形状（multi-axial body shape）により、耐ねじり形状（torsion-resistant embodiment）は、比較的簡単に実現され得る。それに対して、代わりに、床フレームの側部に沿った１軸上に延びる中央部脚の耐ねじり形状は、より問題となる。
【発明の概要】
【発明が解決しようとする課題】
【０００４】
本発明は、そこで、液体の輸送用および貯蔵用容器を提供し得るように増大した安定性を有し、ベースフレームの安定性欠如によって引き起こされる貯蔵破損に対する増大した安全性を確実にし、そして、特に危険な材料の輸送用および貯蔵用に適した、液体の輸送用および貯蔵用容器のためのパレット状ベースフレームを提案するという目的に基づいている。
【課題を解決するための手段】
【０００５】
上記目的を達成するため、発明に従ったベースフレームは、請求項１の特徴を有している。
【０００６】
発明に従ったベースフレームでは、少なくとも１つの中央部脚が、Ｕ字形の断面を有し、ベースウォール、外ジャーナルウォール、および内ジャーナルウォールを含み、上記ベースウォールおよびジャーナルウォールが、プロファイルボディの軸端部領域でプロファイルボディの縦軸に直角な平面内でＵ字形に具体化された（embodied）端部ウェブを具体化するプロファイルボディを有する。
【０００７】
発明に従ったベースフレームでは、ベースウォールおよびそれに取り付けられた２つのジャーナルウォールが、中央部脚が垂直軸または縦軸に対するねじり負荷に応じた増大したねじり抵抗（torsion resistance）を有するように、端部ウェブを介して互いに連結される。特に、上記端部ウェブは、互いに相対的にジャーナルウォールの補強をもたらす。端部ウェブのＵ字形の実施例によって、端部ウェブの実施例は比較的少ない量の材料しか必要としないので、発明に従ったベースフレームの中央部脚を平坦なシートメタルブランクから深絞り（deep-drawing）プロセスで、製造することが、やはり可能である。
【０００８】
プロファイルボディとして具体化される中央部脚が、高い固有の安定性を有し、中央部脚の形状の安定性は、まず、それぞれベースフレームの脚フレームまたは床部への中央部脚の接着によってもたらされるのではないことが特に有利であることは強調される。
【０００９】
特に、容器の後ろ側に配置される中央部脚の発明に従った実施例は、フォークリフト装置が輸送用および貯蔵用容器の下で運転されるときに、この中央部脚が、特別な形でフォークリフト装置のフォークレーキとの衝突のリスクを受けやすいので、有利に思われる。
【００１０】
それは、好ましい実施例に従えば、それぞれの場合に、ジャーナルウォールは、端部ウェブによって形成され、上記ジャーナルウォールにおいてベースフレームの床部に平行に折り曲げられるように設けられる上部支持端を有し、端部ウェブは共通の支持または接続平面に配置され、ベースフレームの床部への中央部脚の接続にとって特に有利に思われる。
【００１１】
共通の支持または接続平面への端部ウェブの配置は、また、床部に対する中央部脚の正しい向きが、床部およびジャーナルの端部ウェブとの間のボディコンタクトによってすでに定義されているので、中央部脚と床部との間の接続を確立する場合に、中央部脚への床部の相対的な向きをかなり簡潔にする。
【００１２】
さらに好ましい実施例に従えば、プロファイルボディの外ジャーナルウォールは、ベースフレームの床部に面する、その上部領域で、箱形の突出部、特に区画の形を形成し、ジャーナルウォールの下端部と反対側のハウジングの正面に配置された凹部を有し、プロファイルボディの安定性のさらなる増大が、簡潔な措置（measures）によって達成される。
【００１３】
箱形の形で具体化される突出部が軸端部ウェブに延びる場合には、上記端部ウェブは、また、強固さ促進措置（stiffness-promoting measure）の増大した範囲に含められる。
【００１４】
原理的には、ジャーナルウォールにおける突出部の区画形状（bay-shaped）の実施例は、また、ベースウォールへの変わり目に於ける外ジャーナルウォールの上端部と、その下端部との間のオフセットが実現され、このようにして、中央部脚は、脚フレームの寸法に特別な方法によって（in a particular manner）適合し、それは、輸送用および貯蔵用容器の積み上げの可能性を実現するように、典型的にベースフレームの床部よりも小さな直径（diameter）を有する利点をもたらす。
【００１５】
内ジャーナルウォールが、外ジャーナルウォールの箱形の突出部と反対側に配置され、内ジャーナルウォールの上端部ウェブからベースウォールに向けて延び、外側に向く補強シームを含む場合には、一方で、プロファイルボディの強固さを増大させるさらなる措置が実現される。他方、外側に向き、フォークリフト装置が輸送用および貯蔵用容器の下で運転されるときにフォークリフト装置のフォークレーキの衝突に応じた中央部脚からのフォークレーキの変形またははね返り（deflection or rebounding）を支持する補強シームは、偏った端部（deflecting edge）のタイプを形成し、フォークリフト装置のフォークレーキとの衝突によるベースフレームまたは中央部脚に対する損傷の危険が、それぞれ、低減される。
【００１６】
内ジャーナルウォールの上端部ウェブが、ベースウォールを越えてベースフレームの内部スペースに向けて突出し、補強シームが上端部ウェブに向けて傾いて走り、中央部脚が、補強シームの突出実施例（projecting embodiment）によってベースフレームの床部を補強することは、特に有利である。
【００１７】
特に、それぞれジャーナルウォールの軸端部領域で具体化され、軸端部ウェブ内に延びる２つの箱形の突出部が、ジャーナルウォール内で凹部によって互いに分離されるように外ジャーナルウォールの箱形状の突出部が、２折り（two-fold）が具体化される場合には、上記凹部は箱突出部の間の端部ウェブの露出配置を提供し、ベースフレームの床部に固定するための端部ウェブの良好なアクセシビリティが実現される。
【００１８】
対応して示された内ジャーナルウォールの端部ウェブの実施例は、補強シームがそれぞれの場合に箱形の突出部と反対に具体化される場合に、可能になり、端部ウェブとベースフレームの床部との間の接続のための空間が補強シームの間で可能である。
【００１９】
互いに反対に配置され、１つのプロファイルボディ、およびプロファイルボディの内ジャーナルウォールの端部ウェブを有する２つの中央部脚が、フロアクロスメンバを介して互いに連結され、互いに反対に配置された２つの中央部脚が、直接互いに補強され得、そして、ベースフレームの床部のための補強ブリッジが具体化し得る。
【００２０】
中央部脚のプロファイルボディの内ジャーナルウォールがフロアクロスメンバを互いに１部材に結合するように具体化する場合には、特に有利であり、中央部脚およびフロアクロスメンバは単一の結合されたコンポーネントを具体化する。
【００２１】
好ましい実施例は、以下に図面によってより詳細に定義される。
【図面の簡単な説明】
【００２２】
【図１】パレット状ベースフレームが取り付けられた液体の輸送用および貯蔵用容器の斜視図を示す。
【図２】中央脚の領域におけるベースフレームの拡大図を示す。
【図３】中央脚の単独の等角投影図を示す。
【図４】図３に示す中央脚の側面図を示す。
【図５】フロアクロスメンバへの接続前の２つの中央脚を示す。
【図６】補強ブリッジを具体化するフロアクロスメンバに接続された中央脚を示す。
【図７】一体的に具体化された中央脚と共に１部材に具体化された補強ブリッジを示す。
【発明を実施するための形態】
【００２３】
図１は、上部容器フロア１４内の、蓋１２によってロックされ得るフィラーネック１３と、容器フロントサイド１５で下部容器フロア１６の領域内の取り出し継ぎ手を接続するために働く図示しない排出ノズルを含む、プラスチックからなる内部容器１１を有する使い捨て可能および再利用可能な容器として用いられ得る液体の輸送用および貯蔵用容器１０を示す。内部容器１１は、内部容器１１と同様にパレット状のベースフレーム２１上に配置される、交差する水平および垂直の金属製の格子バー１９・２０の外殻１８内に交換可能に収容されている。
【００２４】
ベースフレーム２１は、内部容器１１を支持する床部２２、および脚フレーム２５に取り付けられ、床部２２および内部容器１１の外殻１８が固定される角部脚２３と中央部脚２４とを含む。
【００２５】
図２は、容器１７（図１）の後ろ側で２つの角部脚２３の間に配置され、脚フレームチューブ５９と床部２２の外縁２６との間に広がり、脚フレームチューブ２５に対向する、ベースフレーム２１の床部２２を支持する中央部脚２４を示す。
【００２６】
特に図３と図４との組み合わせから明らかなように、中央部脚２４は、シートメタルブランクから１つの部材に形成され、特に図４に示されるように、脚フレームチューブ５９（図２）に平行に延びる、そのプロファイルボディ２７の縦軸２８に対して（based on）Ｕ字形の断面を有するプロファイルボディ２７を含む。プロファイルボディ２７は、ベースウォール２９と、その上に配置されたジャーナルウォール３０・３１とから構成され、図４中、左側のジャーナルウォール３０は、以下、図２に示されるベースフレーム２１における、その相対的配置に従って、外ジャーナルウォール３０として識別され、図４中、右側に描かれるジャーナルウォール３１は、以下、ベースフレーム２１における、その相対的配置に従って、内ジャーナルウォール３１として識別される。
【００２７】
両方のジャーナルウォール３０・３１は、それぞれ、その上端で折り曲げられるように設けられ、共通支持平面３４内に配置されて共に支持表面を形成し、それによって共にベースフレーム２１（図２）の床部２２に中央部脚２４が支持される端部ウェブ３２・３３を含む。この床部２２の支持は、端部ウェブ３２・３３が床部２２の下面に直接寄りかかるように直接的に、または間接的に行われ、特に図６に示すように、互いに反対側に位置される２つの中央部脚２４を連結するフロアクロスメンバ５３が、端部ウェブ３２・３３に載置され、中央部脚２４の床部２２への接続が、それらの間に位置されるフロアクロスメンバ５３を介して行われる。
【００２８】
特に図３に示されるように、プロファイルボディ２７は、その軸端部領域３７・３８において、それぞれ、ベースウォール２９、およびジャーナルウォール３０・３１に対して折り曲げられるように設けられ、この例示的実施例ではＵ字形に具体化され、互いにジャーナルウォール３０・３１を補強する軸端部ウェブ３９・４０を含む。外ジャーナルウォール３０の側では、軸端部ウェブ３９・４０は、ジャーナルウォール３０の上端に設けられる端部ウェブ３２に結合している。内ジャーナルウォール３１の側では、軸端部ウェブ３９・４０は、内ジャーナルウォール３１の上端に設けられる端部ウェブ３３に連続している。
【００２９】
特に図３に示されるように、外ジャーナルウォール３０は、プロファイルボディ２７の軸端部領域３７・３８に、外側に向けられ、ハウジングの正面で具体化されて以下ではウォールベイ４１・４２として特定される、ほぼ区画の具体化を含む（encompass approximately the embodiment of a bay）モールディングを含む。ウォールベイ４１・４２は、箱形（box-shaped）で軸端部ウェブ３９・４０に延びるように具体化されている。ウォールベイ４１・４２の互いの軸方向のスペーシングのために、ウォールベイ４１・４２の間に凹部４３が具体化されている。端部ウェブ３２の底部側４４は、凹部４３によって露出されるように（exposed by means of the recess 43）設けられ、容易にアクセスされ得る、端部ウェブ３２を床部２２に接続するための接続部材、例えばねじの挿通を提供するために設けられる固定用開口４５が、凹部４３の領域に設けられる（embodied）。
【００３０】
さらに、図３および図４に示されるように、ウォールベイ４１・４２は、プロファイルボディ２７のベースウォール２９上に外側に向けてそびえ（tower）、図２に示されるように脚フレームチューブ５９への接続のために働くベースウォール２９の接続端部４６が、したがって、床部２２の外縁２６への接続のために働く端部ウェブ３２と反対側の内側に（inwards opposite）引き戻される（moved back）。
【００３１】
図３は、以下では補強シーム４７・４８として特定される補強モールディング（reinforcing moldings）が、それぞれの場合において外ジャーナルウォール３０に実現されるウォールベイ４１・４２に対向する内ジャーナルウォール３１に実現されていることを示す。プロファイルボディ２７の縦軸２８に向かう凹部４９は、端部ウェブ３３の下で補強シーム４７・４８の間に設けられ、端部ウェブ３３の底部側５０がアクセスされ得、端部ウェブ３３を床部２２に接続するための接続部材の挿通のために設けられる、端部ウェブ３２の固定用開口４５と同様の固定開口５１が、凹部４９の領域の端部ウェブ３３に設けられる。
【００３２】
既に述べられたように、ベースフレーム２１における容器１７の後ろ側に配置される、図１に示される中央部脚２４の場合と同様に中央部脚２４を直接床部２２に接続し、または、互いに反対側に配置される２つの中央部脚２４、すなわち床部２２を補強するようにその下面に沿ったフロアクロスメンバ５３に対して図６に示される補強ブリッジ５２を実現するために、ベースフレーム２１における容器の反対側に位置する２つの中央部脚２４を接続することが可能である。互いに対向して配置され、これによってもたらされる中央部脚２４の端部ウェブ３２・３３上の結合端部領域５４・５５による、フロアクロスメンバ５３の支持配置も、図５、および図６に見られ得る。このように、中央部脚２４の内ジャーナルウォール３１における補強シーム４７・４８の内側への傾きによって、力の印加に関して好ましい、ジャーナルウォール３１とフロアクロスメンバ５３との間の遷移が、ジャーナルウォール３１の曲げ強度を増大させる効果と同様に達成されることが、明らかになる。
【００３３】
図６に示される補強ブリッジ５２の実施例の変形例として、図７は、中央部脚６０がフロアクロスメンバ５７と一体的に実現される補強ブリッジ５６を示す。特に、中央部脚６０の内ジャーナルウォール６５に設けられる補強シーム６１・６２は、フロアクロスメンバ５７の縦方向に延びる、フロアクロスメンバ５７の補強シーム６３・６４に連続的に結合する。
【００３４】
図６、および図７に示される補強ブリッジ５２・５６の実施例の比較は、補強ブリッジ５２に対して、互いに反対に配置される中央部脚６０のジャーナルウォール６５は、いずれも内ジャーナルウォール３１において分離して具体化される端部ウェブ３３の代わりに連続的に互いに結合されるように具体化されることを示す。
【符号の説明】
【００３５】
１０      貯蔵用容器
１１      内部容器
１２      蓋
１３      フィラーネック
１４      上部容器フロア
１５      容器フロントサイド
１６      下部容器フロア
１７      容器
１８      外殻
１９・２０      格子バー
２１      ベースフレーム
２２      床部
２３      角部脚
２４      中央部脚
２５      脚フレーム
２６      外縁
２７      プロファイルボディ
２８      縦軸
２９      ベースウォール
３０      外ジャーナルウォール
３１      内ジャーナルウォール
３２      端部ウェブ
３３      端部ウェブ
３４      共通支持平面
３７・３８      軸端部領域
３９・４０      軸端部ウェブ
４１・４２      ウォールベイ
４３      凹部
４４      底部側
４５      固定用開口
４６      接続端部
４７・４８      補強シーム
４９      凹部
５０      底部側
５１      固定開口
５２      補強ブリッジ
５３      フロアクロスメンバ
５４・５５      結合端部領域
５６      補強ブリッジ
５７      フロアクロスメンバ
５９      脚フレームチューブ
６０      中央部脚
６１・６２      補強シーム
６３・６４      補強シーム
６５      ジャーナルウォール
【図１】
0005706849.tif 000002
【図２】
0005706849.tif 000003
【図３】
0005706849.tif 000004
【図４】
0005706849.tif 000005
【図５】
0005706849.tif 000006
【図６】
0005706849.tif 000007
【図７】
0005706849.tif 000008